(57)【特許請求の範囲】
【請求項１】
食器類を収納する洗浄槽と、
該洗浄槽内の洗浄水を回転数に応じて吸引して加圧する洗浄ポンプと、
前記洗浄槽の中に配設され、前記洗浄ポンプからの加圧に応じて洗浄水を噴射しながら回転し、食器類を洗浄する洗浄ノズルと、
洗浄工程の前半では、予め洗浄槽内に供給された第１の水量の洗浄水にて食器類が洗浄されるように、前記洗浄ポンプの回転数を変化させ、洗浄工程の後半では、後半に入る前に前記洗浄槽内の第１の水量に洗浄水が加えられて貯えられた第２の水量の洗浄水にて食器類が洗浄されるように、前記洗浄ポンプの回転数を変化させる制御手段とを備え、
前記制御手段は、洗浄工程の前半及び後半における前記洗浄ポンプの回転数の変化のうち低速回転時の回転数が、洗浄工程の前半より後半の方が高くなるように制御することを特徴とする食器洗浄機。
【請求項２】
前記制御手段は、予め設定された高速回転数あるいは低速回転数で前記洗浄ポンプが回転するように制御し、次いで、低速回転数あるいは高速回転数で回転するように制御し、これを交互に繰り返し行って前記洗浄ポンプの回転数を変化させることを特徴とする請求項１記載の食器洗浄機。
【請求項３】
前記洗浄ポンプの高速回転時及び低速回転時の合計時間は、前記洗浄ノズルが一回転するまでの時間よりも短く設定されていることを特徴とする請求項２記載の食器洗浄機。
【請求項４】
前記洗浄ポンプの高速回転時の時間は、低速回転時よりも短く設定されていることを特徴とする請求項２又は３記載の食器洗浄機。
【請求項５】
洗浄工程の前半における前記洗浄ポンプの低速回転時の時間は、洗浄工程の後半での低速回転時よりも長く設定されていることを特徴とする請求項２乃至４の何れかに記載の食器洗浄機。
【請求項６】
洗浄工程の後半における前記洗浄ポンプの低速回転時の回転数は、洗浄工程の前半での低速回転時よりも高く設定されていることを特徴とする請求項２乃至５の何れかに記載の食器洗浄機。
【請求項７】
前記制御手段は、前記洗浄槽内の洗浄水が第１の水量に達してから第１の休止時間経過後に洗浄工程の前半を開始することを特徴とする請求項１乃至６の何れかに記載の食器洗浄機。
【請求項８】
前記制御手段は、洗浄工程の前半及び後半の間に第２の休止時間を設けていることを特徴とする請求項１乃至７の何れかに記載の食器洗浄機。
【請求項９】
前記洗浄槽の底部の第１の水量にて水没する所定位置に洗剤の投入指示表示がなされていることを特徴とする請求項１乃至８の何れかに記載の食器洗浄機。
【請求項１０】
前記制御手段は、前記洗浄ポンプの回転数の変化を正弦波状に行い、前記洗浄ノズルから噴射される洗浄水の噴射量を徐々に変えることを特徴とする請求項１記載の食器洗浄機。
【請求項１１】
前記制御手段は、回転数の変化による正弦波状の周期が変わるように、前記洗浄ポンプの回転数を制御することを特徴とする請求項１０記載の食器洗浄機。  
【請求項１２】
前記制御手段は、回転数の変化による正弦波状の振幅が変わるように、前記洗浄ポンプの回転数を制御することを特徴とする請求項１０又は１１記載の食器洗浄機。
【請求項１３】
前記制御手段は、予め設定された高速回転数あるいは低速回転数で前記洗浄ポンプが回転するように制御し、次いで、低速回転数あるいは高速回転数で回転するように制御し、これを交互に繰り返し行って前記洗浄ポンプの回転数を変化させ、洗浄工程及びすすぎ工程の各工程の前半及び後半で高速回転時及び低速回転時の時間が異なるようにしたことを特徴とする請求項１記載の食器洗浄機。
【請求項１４】
洗浄工程及びすすぎ工程の前半での高速回転時の時間は、後半の高速回転時よりも長く、また、洗浄工程及びすすぎ工程の前半での低速回転時の時間は、後半の低速回転時よりも短く設定されていることを特徴とする請求項１３記載の食器洗浄機。
【発明の詳細な説明】
【技術分野】
【０００１】
本発明は、洗浄ポンプで加圧された洗浄水を洗浄ノズルから噴射し、洗浄槽内に配置された食器類を洗浄する食器洗浄機に関するものである。
【背景技術】
【０００２】
従来の食器洗浄機は、洗浄工程前半の水位を後半の水位よりも低くし、洗浄ノズルから洗浄水を間欠的に噴射させて食器類を間欠洗浄し、洗浄工程後半では、水位を前半のときの水位よりも高くし、洗浄ノズルから連続的に洗浄水を噴射させて食器類を洗浄するようにしている（例えば、特許文献１参照）。
また、他の従来の食器洗浄機は、洗浄工程及びすすぎ工程の各工程で、洗浄ノズルから洗浄水を間欠的に噴射させ、間欠噴射による洗浄水の衝撃力を発揮させるようにしている（例えば、特許文献２参照）。
【０００３】
【特許文献１】特許３６６１６３９号公報（第５−６頁、図１、図４及び図５）
【特許文献２】特開２００２−１７６４６号公報（第７−８頁、図１及び図３）
【発明の開示】
【発明が解決しようとする課題】
【０００４】
前述した特許文献１に記載の食器洗浄機は、標準水位よりも低い水位で洗浄ポンプを間欠的に駆動して高濃度の洗剤液を噴射するものであるが、その洗浄水を間欠的に噴射しているため、食器類に満遍なく高濃度の洗浄液を塗布することができず、また、水量が少ないので洗剤が水に溶けないこともあり高濃度の洗浄液が生成できないこともあった。さらに、洗浄工程後半では、洗浄ポンプを連続駆動するようにしているため、水の使用量が多かった。
【０００５】
また、特許文献２に記載の食器洗浄機は、洗浄ノズルから間欠的に洗浄水を噴射するため、食器類に付着した汚れに対し洗浄水が大きな衝撃力を発揮して洗浄力を向上させるようにしたものであるが、この洗浄ノズルは、噴射される洗浄水の反力で回転し、洗浄水の噴射を停止してもある程度惰性で回転を続けて停止し、そして、再び洗浄水の噴射によって回転をするという動作を繰り返すため、間欠噴射する洗浄水が当たらない部分が発生することがあった。この間欠噴射によって洗浄水が当たらない食器類に対しては、何ら洗浄力を発揮することはなく、洗い残しが発生するということがあった。また、洗浄ポンプを間欠的に駆動するように制御しているため、洗浄ポンプのモータのベアリング部分に衝撃的な力が加わり、モータのベアリング部分の寿命劣化、ベアリングの音鳴りが発生するという課題があった。
【０００６】
本発明は、前記のような課題を解決するためになされたもので、第１の目的は、食器洗浄力を向上させて洗い残しの無いようにすると共に、洗浄に使用する水量の低減が可能な食器洗浄機を提供するものである。
また、第２の目的は、洗浄ポンプのモータの寿命劣化を防止する食器洗浄機を提供するものである。
【課題を解決するための手段】
【０００７】
本発明に係る食器洗浄機は、食器類を収納する洗浄槽と、洗浄槽内の洗浄水を回転数に応じて吸引して加圧する洗浄ポンプと、洗浄槽の中に配設され、洗浄ポンプからの加圧に応じて洗浄水を噴射しながら回転し、食器類を洗浄する洗浄ノズルと、洗浄工程の前半では、予め洗浄槽内に供給された第１の水量の洗浄水にて食器類が洗浄されるように、洗浄ポンプの回転数を変化させ、洗浄工程の後半では、後半に入る前に洗浄槽内の第１の水量に洗浄水が加えられて貯えられた第２の水量の洗浄水にて食器類が洗浄されるように、洗浄ポンプの回転数を変化させる制御手段とを備え、制御手段は、洗浄工程の前半及び後半における前記洗浄ポンプの回転数の変化のうち低速回転時の回転数が、洗浄工程の前半より後半の方が高くなるように制御する。
【０００８】
また、制御手段は、洗浄ポンプの回転数の変化を正弦波状に行い、前記洗浄ノズルから噴射される洗浄水の噴射量を徐々に変えるようにしたものである。
【０００９】
また、制御手段は、予め設定された高速回転数あるいは低速回転数で前記洗浄ポンプが回転するように制御し、次いで、低速回転数あるいは高速回転数で回転するように制御し、これを交互に繰り返し行って前記洗浄ポンプの回転数を変化させ、洗浄工程及びすすぎ工程の各工程の前半及び後半で高速回転時及び低速回転時の時間が異なるようにしたものである。
【発明の効果】
【００１０】
本発明においては、洗浄工程の前半で、予め洗浄槽内に供給された第１の水量の洗浄水にて食器類が洗浄されるように、洗浄ポンプの回転数を変化させ、洗浄工程の後半では、後半に入る前に洗浄槽内の第１の水量に洗浄水が加えられて貯えられた第２の水量の洗浄水にて食器類が洗浄されるように、洗浄ポンプの回転数を変化させ、洗浄工程の前半及び後半における前記洗浄ポンプの回転数の変化のうち低速回転時の回転数が、洗浄工程の前半より後半の方が高くなるように制御するようにしている。これにより、食器類に満遍なく洗浄水が当たり、食器洗浄力が向上して洗い残しが無くなり、洗浄ポンプを連続駆動する従来と比べ洗浄に使用する水量を低減できる。
【００１１】
また、本発明においては、洗浄ポンプの回転数の変化を正弦波状に行って、洗浄ノズルから噴射される洗浄水の噴射量を徐々に変えるようにしている。これにより、食器類に満遍なく洗浄水が当たり、食器洗浄力が向上して洗い残しが無くなり、洗浄ポンプを間欠駆動する従来と比べ洗浄ポンプのモータに加わる負荷を軽減でき、このため、洗浄ポンプのモータの寿命劣化を防止することができる。
【００１２】
また、本発明においては、予め設定された高速回転数あるいは低速回転数で洗浄ポンプが回転するように制御し、次いで、その低速回転数あるいは高速回転数で回転するように制御し、これを交互に繰り返し行って洗浄ポンプの回転数を変化させ、洗浄工程及びすすぎ工程の各工程の前半及び後半で高速回転時及び低速回転時の時間が異なるようにしている。これにより、食器類に満遍なく洗浄水が当たり、食器洗浄力が向上して洗い残しが無くなり、洗浄ポンプを間欠駆動する従来と比べ洗浄ポンプのモータに加わる負荷を軽減でき、このため、洗浄ポンプのモータの寿命劣化を防止することができる。
【発明を実施するための最良の形態】
【００１３】
実施の形態１．
図１は本発明の実施の形態１に係る食器洗浄機を示す概略構成図、図２は実施の形態１の食器洗浄機の洗浄工程における洗浄ポンプの動作を示す図である。
食器洗浄機の本体１には、洗浄工程及びすすぎ工程の各工程で使用される洗浄水４を貯えるためのタンク２、食器類を載せるための下かご１６及び上かご１７が配置された洗浄槽６、タンク２内の洗浄水４（湯）を洗浄槽６内に供給する給湯ポンプ７、モータ１９とケーシング部１１（羽根内蔵）とからなる洗浄ポンプ９、洗浄ポンプ９に回転自在に連結された洗浄ノズル１０、洗浄槽６内の汚水を外部へ排水する排水ポンプ１２、給湯ポンプ７の運転を制御するための給湯制御部１３、及び洗浄ポンプ９（モータ１９）と排水ポンプ１２の運転を制御するための制御部１４が配設されている。
【００１４】
タンク２には、水道水を引き込んで内部に注水するための注水口３、及び注水された洗浄水４を加熱して湯にするためのヒータ５が設けられている。洗浄槽６の底部の第１の水量にて水没する所定位置に洗剤の投入指示表示がなされている。例えば、図１に示すように、排水ポンプ１２の吸引側と連結された底部にその投入指示表示がなされている。洗浄槽６と洗浄ポンプ９とを結ぶ管路の上流側には、洗浄水４に含まれる残菜を集めるフィルタ１８が着脱可能に設置されている。洗浄ノズル１０は、複数の噴射口１０ａを有し、洗浄ポンプ９からの加圧（水量）に応じて複数の噴射口１０ａから洗浄水４を噴射し、その反力によって一方向に回転するようになっている。
【００１５】
ヒータ５によって暖められたタンク２内の洗浄水４は、給湯ポンプ７により吸引され、給湯口８から洗浄槽６内に供給されて貯えられる。第１の水量の洗浄水４が洗浄槽６内に貯えられた場合、第１の水位までとなり、この水位から第２の水量になるまで洗浄水４が供給された場合は、第２の水位まで上昇する。洗浄槽６内の洗浄水４は、洗浄ポンプ９により吸引されて加圧され、洗浄ノズル１０に設けられた複数の噴射口１０ａから噴射されて洗浄槽６の底部に溜まり、この一連の流れを繰り返す。そして、洗浄工程やすすぎ工程が終了する毎に排水ポンプ１４によって吸引され、排水口１５から外部へ排水される。
【００１６】
給湯制御部１３は、例えば、制御部１４からの給湯指示を受けると、給湯ポンプ７を駆動して、第１の水量の洗浄水４（湯）が洗浄槽６内に供給されるようにし、この後に給湯追加指示を受けたときは、給湯ポンプ７を駆動して、洗浄槽６内に貯えられた第１の水量に洗浄水４を加えて第２の水量になるようにする。再び給湯指示を受けたときは、前記と同様に給湯ポンプ７を駆動して、例えば第２の水量の洗浄水４が洗浄槽６内に供給されるようにする。第１の水量及び第２の水量は、給湯ポンプ７の駆動時間から判別しており、また、駆動時間から給湯の完了を確認したときは制御部１４にその旨を通知するようになっている。
【００１７】
制御部１４は、給湯制御部１３への給湯指示によって洗浄槽６内に第１の水量の洗浄水４が貯えられると第１の休止時間Ｔ１の計測を開始する。この第１の休止時間Ｔ１は、洗浄槽６の底部の所定位置に投入された洗剤を洗浄水４で溶かすための時間である。第１の休止時間Ｔ１を経過したときは、洗浄工程の前半に入って、洗浄槽６内に供給された第１の水量の洗浄水４、つまり洗剤が溶けた洗浄水４にて食器類が洗浄されるように、洗浄ポンプ９の回転数を少なくとも最低回転数が所定の回転数以上で変化させる。例えば図２に示すように、時間Ｔ３の間、洗浄ポンプ９が高速回転数Ｎｅ３で回転するように制御し、次いで、時間Ｔ２の間、低速回転数Ｎｅ１で回転するように制御し、これを交互に繰り返す。
【００１８】
そして、洗浄工程の前半が終了すると第２の休止時間Ｔ４の計測に入る。この第２の休止時間Ｔ４は、食器類に付着した頑固な汚れを洗浄水４に含まれた洗剤でふやかすための時間である。その第２の休止時間Ｔ４を経過したときは、給湯制御部１３に対して給湯追加指示を出す。この指示により洗浄槽６内の水量が第２の水量になると洗浄工程の後半に入る。洗浄工程の後半では、洗浄槽６内の第２の水量の洗浄水４にて食器類が洗浄されるように、洗浄ポンプ９の回転数を少なくとも最低回転数が所定の回転数以上で変化させる。例えば図２に示すように、時間Ｔ３の間、洗浄ポンプ９が高速回転数Ｎｅ３で回転するように制御し、次いで、時間Ｔ５の間、低速回転数Ｎｅ２で回転するように制御し、これを交互に繰り返す。洗浄工程の後半が終了したときは、排水ポンプ１２を駆動して、洗浄槽６内の洗浄水４（汚水）を吸引させ排水口１５から外部へ排水する。そして、給湯制御部１３に対して再び給湯指示を出し、この指示により、すすぎに必要な量の湯が洗浄槽６内に供給されるとすすぎ工程に入る。
【００１９】
前述した高速回転時の時間Ｔ３と低速回転時の時間Ｔ２の合計時間は、洗浄ノズル１０が一回転するまでの時間よりも短く設定され、高速回転時の時間Ｔ３と低速回転時の時間Ｔ５の合計時間は、前記と同様に洗浄ノズル１０が一回転するまでの時間よりも短く設定されている。また、洗浄ポンプ９の高速回転時の時間Ｔ３は、低速回転時の時間Ｔ２，Ｔ５よりも短く設定されている。洗浄工程の前半における洗浄ポンプ９の低速回転時の時間Ｔ２は、洗浄工程の後半での低速回転時の時間Ｔ５よりも長く設定され、洗浄工程の後半における洗浄ポンプ９の低速回転時の回転数Ｎｅ２は、洗浄工程の前半での低速回転時の回転数Ｎｅ１よりも高く設定されている。
【００２０】
前記のように構成された食器洗浄機において洗浄工程時の動作について説明する。
給湯制御部１３が制御部１４からの給湯指示に応じて給湯ポンプ７を駆動すると、タンク２内の洗浄水４（湯）が給湯ポンプ７により吸引され給湯口８から洗浄槽６内に供給される。この時、給湯制御部１３は、給湯ポンプ７の駆動時間を通して第１の水量の洗浄水４が供給されたかどうかを判定しており、洗浄槽６内に第１の水量の洗浄水４が供給されたときは、給湯ポンプ７の駆動を停止し、給湯完了の旨を制御部１４に通知する。この洗浄水４（第１の水量）の供給により、予め洗浄槽６の底部の所定位置に投入された洗剤が水没し、溶け始める。
【００２１】
一方、制御部１４は、給湯完了の通知を受けたときに第１の休止時間Ｔ１の計測を開始し、そして、第１の休止時間Ｔ１を経過したときは洗浄工程の前半に入る。この第１の休止時間Ｔ１の間で洗剤が洗浄水４によって溶け出し、洗浄工程の後半で使用される第２の水量よりも少ない第１の水量では、濃度の濃い洗剤液が生成される。洗浄工程の前半では、時間Ｔ３の間、洗浄ポンプ９が高速回転数Ｎｅ３で回転するように制御し、次いで、時間Ｔ２の間、低速回転数Ｎｅ１で回転するように制御し、これを交互に繰り返し行う。この場合、高速回転時の時間Ｔ３と低速回転時の時間Ｔ２の合計時間が、洗浄ノズル１０が一回転するまでの時間よりも短いので、高速回転時の洗浄水４の噴射タイミングと低速回転時の洗浄水４の噴射タイミングがずれていき、洗浄槽６内の下かご１６及び上かご１７にそれぞれ設置された食器類に洗剤液が満遍なく当たることになる。
【００２２】
制御部１４は、洗浄工程の前半が終了すると洗浄ポンプ９の駆動を停止し、第２の休止時間Ｔ４の計測に入る。この第２の休止時間Ｔ４は、前述したように、食器類に付着した頑固な汚れを洗浄水４に含まれた洗剤でふやかすための時間である。その第２の休止時間Ｔ２を経過したときは、給湯制御部１３に対して給湯追加指示を出す。この時、給湯制御部１３は、再び給湯ポンプ７を駆動し、タンク２内の洗浄水４（湯）を洗浄槽６内に供給する。そして、駆動時間から洗浄水４が第１の水量に加えて第２の水量に達したことを確認したときは、給湯ポンプ７の駆動を停止し、給湯追加完了の旨を制御部１４に通知する。
【００２３】
制御部１４は、給湯追加完了の通知を受けたときに洗浄工程の後半に入って、時間Ｔ３の間、洗浄ポンプ９が高速回転数Ｎｅ３で回転するように制御し、次いで、時間Ｔ５の間、低速回転数Ｎｅ１よりも回転数の多い低速回転数Ｎｅ２で回転するように制御し、これを交互に繰り返し行う。この場合も、高速回転時の時間Ｔ３と低速回転時の時間Ｔ２の合計時間が、洗浄ノズル１０が一回転するまでの時間よりも短いので、高速回転時の洗浄水４の噴射タイミングと低速回転時の洗浄水４の噴射タイミングがずれていき、また、低速回転時の洗浄水４の噴射量が洗浄工程の前半よりも多くなり、洗浄槽６内の下かご１６及び上かご１７にそれぞれ設置された食器類に洗剤液が満遍なく当たることになる。そして、洗浄工程の後半が終了したときは、洗浄ポンプ９の駆動を停止し、排水ポンプ１２を駆動して、洗浄槽６内の洗浄水４（汚水）を吸引させ排水口１５から外部へ排水する。そして、給湯制御部１３に対して給湯指示を出し、この指示により、すすぎに必要な量の湯が洗浄槽６内に供給されるとすすぎ工程に入る。
【００２４】
以上のように実施の形態１によれば、洗浄工程の前半に入る前に第１の休止時間Ｔ１を設けたので、洗浄槽６内の洗剤を水量（第１の水量）の少ない洗浄水４で溶かすことができ、高濃度の洗剤液を生成することができる。
また、洗浄工程の前半における高速回転時の時間Ｔ３と低速回転時の時間Ｔ２の合計時間が洗浄ノズル１０が一回転するまでの時間よりも短く設定されているので、高速回転時の噴射タイミングと低速回転時の噴射タイミングがずれていき、下かご１６及び上かご１７内の食器類に満遍なく洗剤液を当てることが可能になり、しかも高速回転時の時間Ｔ３が短いので、水量（第１の水量）が少なくても洗浄槽６内の水位の低下が殆どなく、洗浄ポンプ９内に空気が混じるエア噛みで洗浄ポンプ９を駆動できなくなるという状態を回避できる。
さらに、洗浄工程の後半に入る前に第２の休止時間Ｔ４を設けたので、前半で塗布された高濃度の洗剤液（洗浄水４）で頑固な汚れをふやかすことが可能になり、食器類に付着した頑固な汚れを落としやすくなる。
また、第２の休止時間Ｔ４経過後に第１の水量に洗浄水４を加えて第２の水量まで増やすので、洗浄工程の前半よりも多い水量を食器類に当てることができ、ふやかした頑固な汚れを落とすことができる。
また、時間Ｔ３の間、洗浄ポンプ９を高速回転数Ｎｅ３で回転させ、次いで、時間Ｔ５の間、低速回転数Ｎｅ２で回転させ、これを交互に繰り返し行うようにしたので、洗浄工程の後半で洗浄ポンプを連続駆動する従来と比べ、洗浄に使用する水量を少なくでき、さらには、洗浄槽６内の水位が下がって洗浄ポンプ１１内に空気が混じるエア噛みで洗浄ポンプ９を駆動できなくなるという状態を回避でき、洗浄ポンプ９のモータ１９に加わる負荷も低減でき、モータ１９の長寿命化を図ることが可能になる。
【００２５】
なお、実施の形態１では、洗浄工程の前半及び後半で洗浄ポンプ９を駆動する際、まず高速回転数で回転するように制御し、次いで低速回転数で回転するように制御し、これを交互に繰り返し行うようにしたが、最初に低速回転数で回転するように制御し、この後に高速回転数で回転するように制御し、これを交互に繰り返し行うようにしてもよい。
【００２６】
実施の形態２．
図３は本発明の実施の形態２に係る食器洗浄機を示す概略構成図、図４は実施の形態２の食器洗浄機の洗浄工程及びすすぎ工程における洗浄ポンプの動作を示す図である。なお、図３においては、図１で説明した実施の形態１と同一又は相当部分には同じ符号を付し説明を省略する。
本体１の下部に配設された給湯制御部１３ａは、例えば、制御部１４からの給湯指示を受けたときに給湯ポンプ７を駆動し、所定水量の洗浄水４（湯）を洗浄槽６内に供給させる。所定水量は、給湯ポンプ７の駆動時間から判別しており、この駆動時間から給湯の完了を確認したときは制御部１４ａにその旨を通知するようになっている。
【００２７】
制御部１４ａは、洗浄工程に入る前に給湯制御部１３に給湯指示を出し、この指示に対して給湯完了の通知を受けたときに洗浄工程を実行し、洗浄工程を完了したときは、排水ポンプ１２を駆動して、洗浄槽６内の洗浄水４を外部へ排水する。そして、再び給湯制御部１３に給湯指示を出し、この指示に対して給湯完了の通知を受けたときにすすぎ工程を実行し、すすぎ工程を完了したときは、再び排水ポンプ１２を駆動して、洗浄槽６内の洗浄水４を外部へ排水する。
【００２８】
洗浄工程及びすすぎ工程においては、それぞれ洗浄ポンプ９の回転数が正弦波状に変化するように制御する。例えば図４に示すように、第１の回転数を極小値、第２の回転数を極大値とする振幅Ａ１、周期Ｔ１の正弦波状に洗浄ポンプ９の回転数が変化するように制御し、次いで、第１の回転数をさらに下げ、第２の回転数をさらに上げて振幅を大きくした振幅Ａ２、周期Ｔ１の正弦波状に洗浄ポンプ９の回転数が変化するように制御し、さらに、その振幅Ａ２を振幅Ａ１に戻し、周期Ｔ１よりも長い周期Ｔ２の正弦波状に洗浄ポンプ９の回転数が変化するように制御し、そして、その正弦波状の極小値（第１の回転数）をさらに下げ、極大値（第２の回転数）をさらに上げて振幅を大きくした振幅Ａ２、周期Ｔ２の正弦波状に洗浄ポンプ９の回転数が変化するように制御する。これら正弦波状の回転数制御は、所定時間ずつ行われ、連続している。
【００２９】
次に、実施の形態２の動作について説明する。なお、洗浄工程及びすすぎ工程での洗浄ポンプの動作は同じであるため、洗浄工程時の洗浄ポンプの動作だけとする。
給湯制御部１３ａが制御部１４ａからの給湯指示に応じて給湯ポンプ７を駆動すると、タンク２内の洗浄水４（湯）が給湯ポンプ７により吸引され給湯口８から洗浄槽６内に供給される。この時、給湯制御部１３ａは、給湯ポンプ７の駆動時間を通して所定水量の洗浄水４が供給されたかどうかを判定しており、洗浄槽６内に所定水量の洗浄水４が供給されると、給湯ポンプ７の駆動を停止して、給湯完了の旨を制御部１４ａに通知する。
【００３０】
一方、制御部１４ａは、給湯完了の通知を受けたときに洗浄工程に入って、まず、第１の回転数を極小値、第２の回転数を極大値とする振幅Ａ１、周期Ｔ１の正弦波状に洗浄ポンプ９の回転数が変化するように制御する。この制御により、洗浄ポンプ９は、回転数の高低に応じた水量を洗浄ノズル１０に吐出し、洗浄ノズル１０は、洗浄ポンプ９から吐出された水量（加圧）に応じて噴射水の高さを変えながら、かつ回転速度を変化させながら一方向に回転する。
【００３１】
このように、洗浄ノズル１０からの噴射水の高さがリニアに変わるので、上かご１７の食器類から下かご１６の食器類まで満遍なく洗浄水４を当てることができる。洗浄水４の食器類に当る位置が洗浄ノズル１０の回転に伴って徐々に移動するので、汚れのそぎ落とし効果が発生して汚れを確実に落とすことができる。また、洗浄ポンプ９の回転数を徐々に高くしたり低くしたりしているので、洗浄ポンプ９のモータ１９のベアリングの負荷を低減でき、ベアリングの音鳴りを防止できる。
【００３２】
前記の制御を開始してから所定時間が経過すると、振幅Ａ１における第１の回転数を下げ、第２の回転数を上げて振幅を大きくした振幅Ａ２、周期Ｔ１の正弦波状に洗浄ポンプ９の回転数が変化するように制御し、これを所定時間継続する。この場合、洗浄ポンプ９は、第２の回転数に達したときに振幅Ａ１時よりも多い水量を洗浄ノズル１０に吐出し、第１の回転数まで低下したときは振幅Ａ１時よりも少ない水量を洗浄ノズル１０へ吐出する。一方、洗浄ノズル１０は、噴射水の高低差を振幅Ａ１時よりも大きく取りながら、かつ回転速度の高低を振幅Ａ１時よりも大きく変化させながら一方向に回転する。
【００３３】
この制御においては、振幅Ａ２は振幅Ａ１に比べて極大値の第２の回転数が高いので、より高圧の洗浄水４が洗浄ノズル１０から噴射され、食器類に高圧の水流を当てることができ、食器洗浄力が向上する。また、極小値の第１の回転数も下げているので、洗浄ポンプ９の平均回転数は振幅Ａ１のときと同じになり、モータ１９の負荷を軽減できる。
【００３４】
次に、再び振幅Ａ１に戻し、周期Ｔ１より長い周期Ｔ２の正弦波状に洗浄ポンプ９の回転数が変化するように制御するので、周期Ｔ１のときとは、洗浄ノズル１０の回転角に対し噴射水の高低の位置関係が周期Ｔ１のときと異なり、周期Ｔ１時に噴射水が当たらなかった食器類にも噴射水が当り洗浄力が向上する。
【００３５】
次に、第１の回転数を下げ、第２の回転数を上げて振幅を大きくした振幅Ａ２、周期Ｔ２の正弦波状に洗浄ポンプ９の回転数が変化するように制御する。振幅Ａ２、周期Ｔ１の正弦波状に制御していたときに洗浄水４が当たらなかった部分にも洗浄水４を当てることができ、頑固な汚れを落とすことができる。
【００３６】
制御部１４ａは、振幅Ａ２、周期Ｔ２の正弦波状の回転数制御が終了すると、即ち、この制御の所定時間が経過すると、洗浄ポンプ９の駆動を停止し、排水ポンプ１２を駆動して、洗浄槽６内の洗浄水４（汚水）を吸引させ排水口１５から外部へ排水する。そして、給湯制御部１３に対して給湯指示を出し、この指示により、すすぎに必要な量の湯が洗浄槽６内に供給されるとすすぎ工程に入る。
【００３７】
実施の形態３．
実施の形態２では、振幅Ａ１、Ａ２及び周期Ｔ１、Ｔ２の組み合わせによって形成される正弦波状に洗浄ポンプ９の回転数を変化させるようにしたが、３種類以上の振幅及び周期の組み合わせにおいても実施の形態２と同様の効果が望める。また、組み合わせの順番を入れ換えても同様の効果が望める。
【００３８】
実施の形態４．
図５は実施の形態４に係る食器洗浄機の洗浄工程及びすすぎ工程における洗浄ポンプの動作を示す図である。なお、図中に示す周期Ｔ１の駆動期間は洗浄工程及びすすぎ工程の前半での洗浄ポンプの動作を示し、周期Ｔ２の駆動期間は洗浄工程及びすすぎ工程の後半での洗浄ポンプの動作を示す。本実施の形態の食器洗浄機は、実施の形態２とほぼ同じ構成であるため、図３を用いて説明する。
【００３９】
本実施の形態における制御部１４ａは、例えば、所定の高速回転数で洗浄ポンプ９が回転するように制御し、次いで、所定の低速回転数で回転するように制御し、これを交互に繰り返し行って洗浄ポンプ９の回転数を変化させ、洗浄工程及びすすぎ工程の各工程の前半及び後半で高速回転時及び低速回転時の時間が異なるようにしている。具体的には図５に示すように、洗浄工程及びすすぎ工程の前半では、高速回転数の時間及び低速回転数の時間の合計を周期Ｔ１として、これを洗浄ポンプ９（モータ１９）に繰り返し与えて回転数を変化させ、洗浄工程及びすすぎ工程の後半では、高速回転数の時間及び低速回転数の時間の合計を周期Ｔ２として、これを洗浄ポンプ９に繰り返し与えて回転数を変化させる。周期Ｔ１の高速回転時の時間は周期Ｔ２の高速回転時よりも長く、また、周期Ｔ１の低速回転時の時間は周期Ｔ２の低速回転時よりも短く設定され、周期Ｔ１＜周期Ｔ２の関係になっている。
【００４０】
このように、洗浄工程及びすすぎ工程の前半においては、高速回転数の時間が低速回転時よりも長いので、水量が多く、かつ噴射力の強い洗浄水４が洗浄ノズル１０から噴射され、食器類にこびり付いたご飯粒のような大きい汚れを最初に落とすことが可能になる。また、洗浄工程及びすすぎ工程の後半では、高速回転時よりも低速回転数の時間が長いので、洗浄ポンプ９のモータ１９への負荷を軽減できる。また、洗浄工程及びすすぎ工程の後半は、前半に比べ周期が長く、かつ低速回転時の時間が長いので、モータ１９への負荷の増加を軽減できる。さらに、周期Ｔ１のときとは、洗浄ノズル１０の回転角に対して噴射水の高低の位置関係が異なるので、周期Ｔ１時には噴射水が当たらなかった食器にも噴射水が当り洗浄力が向上する。
【００４１】
実施の形態５．
実施の形態４では、洗浄工程及びすすぎ工程の前半では、高速回転数及び低速回転数の各時間の合計を周期Ｔ１として、これを洗浄ポンプ９に繰り返し与えて回転数を変化させ、洗浄工程及びすすぎ工程の後半では、高速回転数及び低速回転数の各時間の合計を周期Ｔ２として、これを洗浄ポンプ９に繰り返し与えて回転数を変化させるようにしたが、３種類以上の周期の組み合わせにおいても実施の形態４と同様の効果が望める。
また、洗浄ポンプを駆動する際、最初に高速回転数で回転させ、次いで低速回転数で回転させ、これを交互に繰り返し行うようにしたが、最初に低速回転数で回転するように制御し、この後に高速回転数で回転するように制御し、これを交互に繰り返し行うようにしてもよく、実施の形態４と同様の効果が得られる。
【図面の簡単な説明】
【００４２】
【図１】本発明の実施の形態１に係る食器洗浄機を示す概略構成図である。
【図２】実施の形態１の食器洗浄機の洗浄工程における洗浄ポンプの動作を示す図である。
【図３】本発明の実施の形態２に係る食器洗浄機を示す概略構成図である。
【図４】実施の形態２の食器洗浄機の洗浄工程及びすすぎ工程における洗浄ポンプの動作を示す図である。
【図５】実施の形態４に係る食器洗浄機の洗浄工程及びすすぎ工程における洗浄ポンプの動作を示す図である。
【符号の説明】
【００４３】
１  食器洗浄機の本体、２  タンク、５  ヒータ、６  洗浄槽、７  給湯ポンプ、９  洗浄ポンプ、１０  洗浄ノズル、１１  ケーシング、１２  排水ポンプ、１３，１３ａ  給湯制御部、１４，１４ａ  制御部、１９  モータ。
【図１】
0004598693.tif 000002
【図２】
0004598693.tif 000003
【図３】
0004598693.tif 000004
【図４】
0004598693.tif 000005
【図５】
0004598693.tif 000006